(57)【特許請求の範囲】
【請求項１】
ブラインドと、指令信号に応答して前記ブラインドを駆動制御する制御部とを備えた電動開閉装置に、手操作可能な入力部（６０）からの入力信号に基づき前記指令信号を与えることにより前記ブラインドを動作させる電動開閉装置用コントローラであって、
該コントローラは、一列に配列される複数個の表示素子（７５）と、ブラインドのスラットの開閉角度かまたはスラットの昇降高さを選択する開閉角度／昇降高さ選択キー（７８）とを有しており、該開閉角度／昇降高さ選択キー（７８）でスラットの開閉角度が選択された場合に、前記複数個の表示素子がスラットの開閉角度を段階的に表示するとともに、スラットの開閉角度の段階を選択するためのスラット正回転キー（７０）及びスラット逆回転キー（７２）を入力部（６０）に表示し、スラットの昇降高さが選択された場合に、前記複数個の表示素子がスラットの昇降高さを段階的に表示するとともに、前記スラット回転キー及びスラット逆回転キーがスラットの昇降高さの段階を選択するための上昇設定キー（７４）及び下降設定キー（７６）を入力部（６０）に表示するようそれぞれを切換える、ことを特徴とする電動開閉装置用コントローラ。
【請求項２】
ブラインドと、指令信号に応答して前記ブラインドを駆動制御する制御部とを備えた電動開閉装置に、手操作可能な入力部（６０）からの入力信号に基づき前記指令信号を与えることにより前記ブラインドを動作させる電動開閉装置用コントローラであって、
該コントローラは、一列に配列される複数個の表示素子（７５）と、ブラインドを動作させる前記指令信号を与えるためのキー（６４、６６、６８）とを有し、さらに、前記キー（６４、６６、６８）以外に、ブラインドのスラットの開閉角度かまたはスラットの昇降高さを選択する開閉角度／昇降高さ選択キー（７８）を有しており、該開閉角度／昇降高さ選択キー（７８）でスラットの開閉角度が選択された場合に、前記複数個の表示素子がスラットの開閉角度を段階的に表示するとともに、前記開閉角度／昇降高さ選択キー（７８）はスラットの昇降高さを表示し、スラットの昇降高さが選択された場合に、前記複数個の表示素子がスラットの昇降高さを段階的に表示するとともに、前記開閉角度／昇降高さ選択キー（７８）はスラットの開閉角度を表示するよう切換える、ことを特徴とする電動開閉装置用コントローラ。
【請求項３】
前記段階的に表示されるスラットの開閉角度は、前記入力部から入力された目標開閉角度であり、前記段階的に表示されるスラットの昇降高さは、前記入力部から入力された目標昇降高さである、ことを特徴とする請求項１または２記載の電動開閉装置用コントローラ。
【請求項４】
前記制御部は、ブラインドの現状態を検出してコントローラに与えており、前記段階的に表示されるスラットの開閉角度は、前記制御部で検出されたスラットの開閉角度であり、前記段階的に表示されるスラットの昇降高さは、前記制御部で検出されたスラットの昇降高さである、ことを特徴とする請求項１または２記載の電動開閉装置用コントローラ。
【発明の詳細な説明】
【０００１】
【発明の属する技術分野】
本発明は、ブラインドと、指令信号に応答して前記ブラインドを駆動制御する制御部とを備えた電動開閉装置に、手操作可能な入力部からの入力信号に基づき前記指令信号を与えることにより前記ブラインドを動作させる電動開閉装置用コントローラに関し、特に、ブラインドのスラットの開閉角度や昇降高さに関する情報を適宜選択して表示することができる電動開閉装置用コントローラに関する。
【０００２】
【従来の技術】
従来、この種の電動開閉装置用コントローラとしては、特開平３−２２４９８８号公報に記載されたものがある。
特開平３−２２４９８８号公報のものは、電動ブラインド及び電動ロールスクリーンに兼用されるスイッチボックスに関するもので、電動ブラインドの上昇及び電動ロールスクリーンの巻上げ用のスイッチと、電動ブラインドの下降及び電動ロールスクリーンの巻降ろし用のスイッチと、電動ブラインド及び電動ロールスクリーンの停止用のスイッチと、付加的な２個のスイッチとを有しており、付加的な２個のスイッチは、スイッチがオンされたときに、電力の間欠的供給を行うことにより、モータを低速に回転させるもので、電動ブラインドの場合はスラットの低速回転、電動ロールスクリーンの場合はスクリーンの低速昇降を行って微調整ができるように構成されている。
【０００３】
【発明が解決しようとする課題】
しかしながら、かかる従来のスイッチボックスでは、電動ブラインドと電動ロールスクリーンの両方に兼用することができ、また、微調整するためのスイッチを備えているものの、その微調整操作は、電動ブラインドまたは電動ロールスクリーンを直接見ながら行わなければ所望の状態になるように操作することは困難であるという問題があった。
【０００４】
一方、コントローラに表示機能を持たせたものとしては、例えば特開平２−１９７６８８号公報に記載されたもの等があるが、ブラインドのスラットの開閉角度と昇降高さの両方を表示させているため、表示のための面積が多く必要になりコントローラが大型化するという問題がある。かかる公報のコントローラは、ロールスクリーンに兼用することはできないという問題もある。
【０００５】
本発明は、かかる問題点に鑑みなされたもので、請求項１ないし請求項４記載の発明は、ブラインドのスラットの開閉角度や昇降高さに関する情報を適宜選択してコントローラで表示することにより、コントローラを大型化することなく、ユーザーが必要な情報を直感的に把握することができる電動開閉装置用コントローラを提供することを目的とする。
【０００６】
【課題を解決するための手段】
上記目的を達成するために、請求項１記載の電動開閉装置用コントローラは、ブラインドと、指令信号に応答して前記ブラインドを駆動制御する制御部とを備えた電動開閉装置に、手操作可能な入力部からの入力信号に基づき前記指令信号を与えることにより前記ブラインドを動作させる電動開閉装置用コントローラであって、
該コントローラは、一列に配列される複数個の表示素子と、ブラインドのスラットの開閉角度かまたはスラットの昇降高さを選択する開閉角度／昇降高さ選択キーとを有しており、該開閉角度／昇降高さ選択キーでスラットの開閉角度が選択された場合に、前記複数個の表示素子がスラットの開閉角度を段階的に表示するとともに、スラットの開閉角度の段階を選択するためのスラット正回転キー及びスラット逆回転キーを入力部に表示し、スラットの昇降高さが選択された場合に、前記複数個の表示素子がスラットの昇降高さを段階的に表示するとともに、前記スラット回転キー及びスラット逆回転キーがスラットの昇降高さの段階を選択するための上昇設定キー及び下降設定キーを入力部に表示するようそれぞれを切換えることを特徴とする。
また、請求項２記載の発明は、ブラインドと、指令信号に応答して前記ブラインドを駆動制御する制御部とを備えた電動開閉装置に、手操作可能な入力部からの入力信号に基づき前記指令信号を与えることにより前記ブラインドを動作させる電動開閉装置用コントローラであって、
該コントローラは、一列に配列される複数個の表示素子と、ブラインドを動作させる前記指令信号を与えるためのキーとを有し、さらに、前記キー以外に、ブラインドのスラットの開閉角度かまたはスラットの昇降高さを選択する開閉角度／昇降高さ選択キーを有しており、該開閉角度／昇降高さ選択キーでスラットの開閉角度が選択された場合に、前記複数個の表示素子がスラットの開閉角度を段階的に表示するとともに、前記開閉角度／昇降高さ選択キーはスラットの昇降高さを表示し、スラットの昇降高さが選択された場合に、前記複数個の表示素子がスラットの昇降高さを段階的に表示するとともに、前記開閉角度／昇降高さ選択キーはスラットの開閉角度を表示するよう切換えることを特徴とする。
【０００７】
また、請求項３記載の発明は、請求項１または２記載のものにおいて、前記段階的に表示されるスラットの開閉角度は、前記入力部から入力された目標開閉角度であり、前記段階的に表示されるスラットの昇降高さは、前記入力部から入力された目標昇降高さであることを特徴とする。
また、請求項４記載の発明は、請求項１または２記載のものにおいて、前記制御部は、ブラインドの現状態を検出してコントローラに与えており、前記段階的に表示されるスラットの開閉角度は、前記制御部で検出されたスラットの開閉角度であり、前記段階的に表示されるスラットの昇降高さは、前記制御部で検出されたスラットの昇降高さであることを特徴とする。
【０００８】
【発明の実施の形態】
以下、図面を用いて本発明の実施の形態を説明する。
図３は、電動開閉装置用コントローラを用いる電動開閉装置により構成されるシステムの一設置例を示しており、開閉体がブラインドである場合を示している。
【０００９】
このシステムは、複数個（本例の場合には９個）のブラインド装置Ｋ１〜Ｋ９（電動開閉装置）を含んでいる（Ｋ３〜Ｋ８は図示せず）。これらブラインド装置は、４つのゾーン１〜４に分かれている（ゾーン２及びゾーン３は図示せず）。例えば、ゾーン１はブラインド装置Ｋ１及びＫ２を、ゾーン２はブラインド装置Ｋ３及びＫ４を、ゾーン３はブラインド装置Ｋ５及びＫ６を、ゾーン４はブラインド装置Ｋ７、Ｋ８及びＫ９を、それぞれ含んでいる。
【００１０】
例えば、ブラインド装置Ｋ１は、制御ユニット（制御部）Ｐ１とブラインド（開閉体）Ｎ１とを含んでいる。以下述べるブラインド装置Ｋ１の構成は、他のブラインド装置Ｋ２〜Ｋ９においても同様である。ブラインドＮ１は、間隔をあけて上下方向に配列された複数のスラット１２と、スラット１２を支持すると共に、その上端がヘッドボックス１０に導入されるラダーテープ１４と、スラット１２の最下端側に配置されたボトムレール１６と、ボトムレール１６に下端が連結されると共に、上端がヘッドボックス１０に導入される昇降テープ１８と、を有している。ヘッドボックス１０内には、ブラインドＮ１を駆動制御する制御ユニットＰ１が収納されており、制御ユニットＰ１には、信号線Ｑ１を介してコントローラＬ１が接続されている。この制御ユニットＰ１は、モータ８４を含み、コントローラＬ１からの指令信号に応答して、モータ８４を回転させて昇降テープ１８を巻取りまたは巻解きすることによりブラインドＮ１を昇降させることができ、また、モータ８４を回転させて（但しモータ８４と別のモータとすることも可能である）ラダーテープ１４を巻取りまたは巻解きすることによりスラット１２を回転させて、スラット１２の開閉をさせることができる。尚、ラダーテープ１４は、所定量以上、巻取りまたは巻解きできないようになっている。制御ユニットＰ１は、伝送線Ｍを介して他の制御ユニット、例えばブラインド装置Ｋ２の制御ユニットＰ２に接続されている。
【００１１】
一例としてのコントローラＬ１の正面図を図１に示す。以下に述べるコントローラＬ１の構成は他の制御ユニットＰ２〜Ｐ９に接続されるコントローラＬ２〜Ｌ９においても同様である。コントローラＬ１の正面には、ＬＯＣＡＬキーのキーシート２６、ＯＰＥＮキーのキーシート２８、ＳＴＯＰキーのキーシート３０、ＣＬＯＳＥキーのキーシート３２、スラット正回転キーのキーシート２２、スラット逆回転キーのキーシート２４等が印刷された印刷シート４０が貼付されており、各キーシート２６、２８、３０、３２、２２、２４の裏側には、ＬＯＣＡＬキー、ＯＰＥＮキー、ＳＴＯＰキー、ＣＬＯＳＥキー、スラット正回転キー、スラット逆回転キーからなるキー入力部１４８が配設されて、各キートップの後には基板に取り付けられたスイッチがあって、キートップ上のキーシートを押すことによりそれらスイッチがオンして後述のマイクロコンピュータ部１４０に信号が入力される。また、この印刷シート４０には、スラット開閉角度を複数段階（図例では１５段階）で表示するための複数個（図例では１５個）の表示素子であるＬＥＤ１５２のための表示窓３４が垂直方向に配列されて形成され、さらに表示素子１５２による表示がスラットの開閉角度を示すものであることを表示するための印刷３６及び印刷３８がなされている。印刷３６は、スラット１２の開閉角度を直線の角度で示したものであり、表示窓３４の表示位置と対応付けられて、スラット開閉角度を補助的に表示している。また、印刷３８は、スラット１２が水平の角度で最も直射日光の入ってくる面積が大きくなることを示すためのものであって、特別に太陽をイメージする印となっている。この印刷シート４０になされている印刷３６及び３８と、表示窓３４内の表示素子１５２の発光とで、スラット１２の開閉角度が直感的に判断できるようになっている。
【００１２】
また、コントローラＬ１の背面図を図２に示す。コントローラＬ１の背面には、モジュラーコンセント１５６及び機器番号設定スイッチ１４６、開閉体選択スイッチ１５４及びグループ／ユニット設定スイッチ１５５が設けられている。モジュラーコンセント１５６には、信号線Ｑ１が接続される。また、機器番号設定スイッチ１４６、開閉体選択スイッチ１５４及びグループ／ユニット設定スイッチ１５５は、ディップスイッチから成り、機器番号設定スイッチ１４６は、制御ユニットＰ１の機器番号を設定することができる。また、開閉体選択スイッチ１５４は、開閉体がブラインドであるかロールスクリーンであるかを選択するスイッチであり、この場合は、ブラインドに選択されている。また、グループ／ユニット設定スイッチ１５５は、コントローラがゾーン内のブラインド装置の一斉操作をさせるものか１台のブラインド装置の単独操作をさせるものかを選択するスイッチであり、このコントローラＬ１は単独操作が選択されている。
【００１３】
ゾーン毎にもコントローラＬ１と同じ構成のコントローラＬ１０が設けられており、このコントローラＬ１０のグループ／ユニット設定スイッチ１５５は、一斉操作が選択されている。
図４は、制御ユニットＰ１及びコントローラＬ１の構成ブロック図を示す。尚、他の制御ユニットＰ２〜Ｐ９及びコントローラＬ１〜Ｌ１０についても同様である。制御ユニットＰ１は、商用電源から電源を各部に供給するための電源部１１６、ブラインドＮ１を制御するための様々な処理を行うマイクロコンピュータ部８０と、ブラインドＮ１が上限に達したときに動作する上限スイッチ９８と、上限スイッチ９８の出力に基づいてスラット１２が上限に達したことを検知してマイクロコンピュータ部８０にその信号を与えるための上限検知部１００と、昇降テープ１８の張り具合の変化に応じて、スラット１２の上昇もしくは下降中の障害を検知する障害スイッチ１０２と、障害スイッチ１０２の動作によって障害が生じたことを検知しその信号をマイクロコンピュータ部８０に与えるための障害検知部１０４と、スラット１２が下限に達したときに動作する下限スイッチ１０６と、下限スイッチ１０６の出力に基づいてスラット１２が下限に達したことを検知しその信号をマイクロコンピュータ部８０に与えるための下限検知部１０８とを含んでいる。さらに、制御ユニットＰ１は、スラット１２の昇降高さをエンコードする高さエンコーダ９０と、高さエンコーダ９０の出力によりスラット１２の昇降高さを検知しマイクロコンピュータ部８０にその信号を与える高さ検知部９２と、スラット１２の開閉角度をエンコードする角度エンコーダ９４と、角度エンコーダ９４の出力に基づいてスラット１２の開閉角度を検知しその信号をマイクロコンピュータ部８０に与える角度検知部９６と、マイクロコンピュータ部８０に接続され、制御ユニットＰ１の機器番号を設定するための機器番号設定部１１０と、マイクロコンピュータ部８０及び伝送線Ｍに接続された伝送路信号送信部８６及び伝送路信号受信部８８と、昇降テープ１８を巻取りまたは巻解きすることによりスラット１２を昇降させると共に、ラダーテープ１４を巻取りまたは巻解きすることによりスラット１２を回転させるモータ８４と、マイクロコンピュータ部８０からの指令信号に応じてモータ８４を駆動するための駆動部８２と、コントローラＬ１とマイクロコンピュータ部８０を連結する指令信号入力部１１４及び応答信号出力部１１２とを含んでいる。
【００１４】
コントローラＬ１は、マイクロコンピュータ部１４０と、制御ユニットＰ１の指令信号入力部１１４及び応答信号出力部１１２に接続された応答信号入力部１４２及び指令信号出力部１４４と、機器番号設定スイッチ１４６と、開閉体選択スイッチ１５４と、キー入力部１４８と、ＥＥＰＲＯＭ記憶部１５０と、表示素子である複数のＬＥＤ（表示素子）１５２とを含んでいる。
【００１５】
以上のように構成されたブラインド装置において、ブラインド装置Ｋ１を単独的に操作しようとするときには、コントローラＬ１から手操作によりキー入力部１４８を操作すると、キー入力部１４８から入力された信号がマイクロコンピュータ部１４０から指令信号として、機器番号データと共に、指令信号出力部１４４及び制御ユニットＰ１の指令信号入力部１１４を介してマイクロコンピュータ部８０へと送出される。マイクロコンピュータ部８０では、機器番号データの一致を確認した後、駆動部８２を駆動制御する信号を送出し、モータ８４を回転駆動する。例えば、ＯＰＥＮキーのキーシート２８が押されると、モータ８４が昇降テープ１８の巻取り方向に回転し、ＳＴＯＰキーのキーシート３０が押されると、モータ８４の回転が停止するように制御される。また、ＣＬＯＳＥキーのキーシート３２が押されると、モータ８４が昇降テープ１８の巻解き方向に回転し、ＳＴＯＰキーのキーシート３０が押されると、モータ８４の回転が停止するように制御され、これによりスラット１２の昇降高さを所望の位置にすることができる。
【００１６】
また、スラット正回転キーのキーシート２２が押されると、押される毎にその入力信号がマイクロコンピュータ部１４０でアップカウントされ、点灯するＬＥＤ１５２が下から上へ１つずつ移動し、目標とするスラット１２の開閉角度の段階が示されることとなる。さらに、マイクロコンピュータ部１４０で、開閉体選択スイッチ１５４の状態が判断され、現在ブラインドが選択されていることが確認された上で、この目標とするスラット１２の開閉角度の段階がスラット１２の角度に変換されて指令信号として制御ユニットＰ１のマイクロコンピュータ部８０へと送られると、これに応じて制御ユニットＰ１のモータ８４が回転する。同時に、マイクロコンピュータ部８０は、角度検知部９６から検出されるスラット１２の角度と、前記指令信号として送られたスラット１２の角度とを比較して、これらが等しくなったところで、モータ８４の回転を停止する。また、逆に、スラット逆回転キーのキーシート２４が押されると、押される毎にその入力信号がマイクロコンピュータ部１４０でダウンカウントされ、点灯するＬＥＤ１５２が上から下へ１つずつ移動し、目標とするスラット１２の開閉角度の段階が示されることとなる。マイクロコンピュータ部１４０で、この目標とするスラット１２の開閉角度の段階がスラット１２の角度に変換されて指令信号として制御ユニットＰ１のマイクロコンピュータ部８０へと送られ、先と同じ制御がなされる。
【００１７】
このようにして、特に目視で確認しにくいスラット１２の開閉角度に関して、ブラインド自身を直接見ずに、１５段階に表示される表示素子１５２を確認しながら、スラット正回転キーのキーシート２２及びスラット逆回転キーのキーシート２４を押すことでいずれかの段階を選択して、簡単に所望のスラット１２の開閉角度にすることができる。一列に配列された複数個の表示素子１５２から直感的にスラット１２の開閉角度を把握することができる。
【００１８】
次に、この同じコントローラＬ１を開閉体がロールスクリーンである電動開閉装置に用いた場合について説明する。
図６は、開閉体がロールスクリーンである電動開閉装置により構成されるシステムの一設置例を示しており、このシステムは、複数個のロールスクリーン装置（電動開閉装置）Ｒ１〜Ｒ９を含んでおり、例えば、ロールスクリーン装置Ｒ１は、制御ユニット（制御部）Ｔ１とロールスクリーン（開閉体）Ｓ１とを含んでいる。ロールスクリーンＳ１は、スクリーン５０と、スクリーン５０の上端が連結される巻取パイプ５２とを有しており、ロールスクリーンＳ１の目立たないところに、ロールスクリーンＳ１を駆動制御する制御ユニットＴ１が設置されており、制御ユニットＴ１には、信号線Ｑ１を介してコントローラＬ１が接続されている。この制御ユニットＴ１は、巻取パイプ５２の内部の一端部に配設されたモータ１８４を含み、コントローラＬ１からの指令信号に応答して、モータ１８４を回転させてスクリーン５０を巻取りまたは巻解きすることによりスクリーン５０を昇降させることができる。
【００１９】
コントローラＬ１の正面図を図５に示す。図５は、図１と同じコントローラＬ１であるが、その正面に貼付する印刷シート４２を印刷シート４０と別のものにして、ロールスクリーン用にしている。即ち、印刷シート４０と異なる点は、スラット正回転キーのキーシート２２及びスラット逆回転キーのキーシート２４の代わりにスクリーン上昇設定キーのキーシート４４及びスクリーン下降設定キーのキーシート４６が印刷されて、且つ印刷３６、３８は省かれている点である。
【００２０】
そして、この例の場合、コントローラＬ１の背面にある開閉体選択スイッチ１５４はロールスクリーンが選択されている。
図７は、制御ユニットＴ１及びコントローラＬ１の構成ブロック図を示している。制御ユニットＴ１は、図４の制御ユニットＰ１と一部の点を除きほぼ同じ構成をしており、商用電源から電源を各部に供給するための電源部２１６、ロールスクリーンＳ１を制御するための様々な処理を行うマイクロコンピュータ部１８０と、スクリーン５０が上限に達したときに動作する上限スイッチ１９８と、上限スイッチ１９８の出力に基づいてスクリーン５０が上限に達したことを検知してマイクロコンピュータ部１８０にその信号を与えるための上限検知部２００と、スクリーン５０の昇降中の障害物との接触を検知する障害スイッチ２０２と、障害スイッチ２０２の動作によって障害が生じたことを検知しその信号をマイクロコンピュータ部１８０に与えるための障害検知部２０４と、スクリーン５０が下限に達したときに動作する下限スイッチ２０６と、下限スイッチ２０６の出力に基づいてスクリーン５０が下限に達したことを検知しその信号をマイクロコンピュータ部１８０に与えるための下限検知部２０８と、スクリーン５０の昇降高さをエンコードする高さエンコーダ１９０と、高さエンコーダ１９０の出力によりスクリーン５０の昇降高さを検知しマイクロコンピュータ部１８０にその信号を与える高さ検知部１９２と、マイクロコンピュータ部１８０に接続され、制御ユニットＴ１の機器番号を設定するための機器番号設定部２１０と、マイクロコンピュータ部１８０及び伝送線Ｍに接続された伝送路信号送信部１８６及び伝送路信号受信部１８８と、スクリーン５０を巻取りまたは巻解きすることによりスクリーン５０を昇降させるモータ１８４と、マイクロコンピュータ部１８０からの指令信号に応じてモータ１８４を駆動するための駆動部１８２と、コントローラＬ１とマイクロコンピュータ部１８０を連結する指令信号入力部２１４及び応答信号出力部２１２とを含んでいる。
【００２１】
以上のように構成されたロールスクリーン装置において、ロールスクリーン装置Ｒ１を単独的に操作しようとするときには、コントローラＬ１から手操作によりキー入力部１４８を操作すると、キー入力部１４８から入力された信号がマイクロコンピュータ部１４０から指令信号として、機器番号データと共に、指令信号出力部１４４及び制御ユニットＴ１の指令信号入力部２１４を介してマイクロコンピュータ部１８０へと送出される。マイクロコンピュータ部１８０では、機器番号データの一致を確認した後、駆動部１８２を駆動制御する信号を送出し、モータ１８４を回転駆動する。例えば、ＯＰＥＮキーのキーシート２８が押されると、モータ１８４がスクリーン５０の巻取り方向に回転し、ＳＴＯＰキーのキーシート３０が押されると、モータ１８４の回転が停止するように制御される。また、ＣＬＯＳＥキーのキーシート３２が押されると、モータ１８４がスクリーン５０の巻解き方向に回転し、ＳＴＯＰキーのキーシート３０が押されると、モータ１８４の回転が停止するように制御され、これによりスクリーン５０の昇降高さを所望の位置にすることができる。
【００２２】
また、スクリーン上昇設定キーのキーシート４４が押されると、押される毎にその入力信号がマイクロコンピュータ部１４０でアップカウントされ、点灯するＬＥＤ１５２が下から上へ１つずつ移動し、または、点灯するＬＥＤ１５２が１つずつ下から上へ減少していき、目標とするスクリーン５０の昇降高さの段階が示されることとなる。さらに、マイクロコンピュータ部１４０で、開閉体選択スイッチ１５４の状態が判断され、現在ロールスクリーンが選択されていることが確認された上で、この目標とするスクリーン５０の昇降高さの段階が実際の昇降高さに変換されて指令信号として制御ユニットＴ１のマイクロコンピュータ部１８０へと送られると、これに応じて制御ユニットＴ１のモータ１８４が回転する。同時に、マイクロコンピュータ部１８０は、高さ検知部１９２から検出されるスクリーン５０の昇降高さと、前記指令信号として送られたスクリーン５０の昇降高さとを比較して、これらが等しくなったところで、モータ１８４の回転を停止する。また、逆に、スクリーン下降設定キーのキーシート４６が押されると、押される毎にその入力信号がマイクロコンピュータ部１４０でダウンカウントされ、点灯するＬＥＤ１５２が上から下へ１つずつ移動し、または、点灯するＬＥＤ１５２が上から下へ１つずつ増加していき、目標とするスクリーン５０の昇降高さの段階が示されることとなる。マイクロコンピュータ部１４０で、この目標とするスクリーン５０の昇降高さの段階が実際の昇降高さに変換されて指令信号として制御ユニットＴ１のマイクロコンピュータ部１８０へと送られ、先と同じ制御がなされる。
【００２３】
このように、ロールスクリーン自身を直接見ずに、１５段階に表示される表示素子１５２を確認しながら、スクリーン上昇設定キーのキーシート４４及びスクリーン下降設定キーのキーシート４６を押すことでいずれかの段階を選択して、簡単に所望のスクリーン５０の昇降高さにすることができる。また、昇降高さの微調整を行いたいときには、ＯＰＥＮキーのキーシート２８またはＣＬＯＳＥキーのキーシート３２を押してすぐにＳＴＯＰキーのキーシート３０を押すことで、微小高さ調整することができる。一列に配列された複数個の表示素子１５２により直感的にスクリーン５０の昇降高さを把握することができる。
【００２４】
マイクロコンピュータ部１４０には、開閉体選択スイッチ１５４の状態に応じて、キーシート２２またはキーシート４４、もしくはキーシート２４またはキーシート４６から入力されている項目がスラット１２の開閉角度に関するものか、またはスクリーン５０の昇降高さに関するものかを判断する手段と、この判断結果に応じて、目標とするスラット１２の開閉角度またはスクリーン５０の昇降高さを段階をスラット１２の角度またはスクリーン５０の昇降高さに変換する手段と、目標とするスラット１２の開閉角度またはスクリーン５０の昇降高さの段階から表示素子１５２の表示制御を行う手段とが設けられているので、図１と図５に示したように、正面に貼付された印刷シール４０、４２を変更し、また、開閉体選択スイッチ１５４を適宜切り換えるだけで、ブラインドやロールスクリーンの電動開閉装置に兼用できるコントローラとすることができる。
【００２５】
この段階的なスラット１２の開閉角度やスクリーン５０の昇降高さは、マイクロコンピュータ部１４０からＥＥＰＲＯＭ記憶部１５０に送られて記憶されるので、信号線Ｑと並列に外部から供給されるコントローラＬ１への電源が切れても、保存され、次回の電源投入時に、再び表示素子１５２でスラット開閉角度またはスクリーン昇降高さを表示することができる。
【００２６】
以上説明した例では、複数の表示素子１５２は、キーシート２２、２４、４４または４６から入力された目標のスラット１２の開閉角度または目標のスクリーン５０の昇降高さを表示することとし、この目標にブラインドやロールスクリーンが一致するよう制御しているが、別の形態としては、常に現在のスラット１２の開閉角度または現在のスクリーン５０の昇降高さを表示するようにすることもできる。
【００２７】
即ち、マイクロコンピュータ部１４０は、開閉体選択スイッチ１５４でブラインドかロールスクリーンが選択されているかを判断した後、ブラインドが選択されている場合、所定時間毎に、制御ユニットＰ１の角度検知部９６で検知されたスラット１２の角度信号を応答信号出力部１１２及び応答信号入力部１４２を介して取り込み、そのスラット角度信号を１５段階のスラット開閉角度に変換して、その段階に応じて表示素子１５２を点灯させる。同様に、ロールスクリーンが選択されている場合、所定時間毎に、制御ユニットＴ１の高さ検知部１９２で検知されたスクリーン５０の昇降高さ信号を応答信号出力部２１２及び応答信号入力部１４２を介して取り込み、その昇降高さ信号を１５段階の昇降高さに変換して、その段階に応じて表示素子１５２を点灯させる。
【００２８】
このようにして、コントローラで開閉体の状況を正確に把握することができる。
次に、図８及び図９は、本発明の実施の形態を表しており、コントローラＬ１が同じブラインドＮ１のスラット１２の開閉角度や昇降高さに関する情報を適宜選択して表示することができるように構成したものである。
【００２９】
図８において、６０はタッチパネルからなるキー入力部であって、キー入力部６０には、ＬＯＣＡＬキー６２、ＯＰＥＮキー６４、ＳＴＯＰキー６６、ＣＬＯＳＥキー６８、スラット正回転キー７０、スラット逆回転キー７２、開閉角度／昇降高さ選択キー７８、及びスラット正回転キー７０とスラット逆回転キー７２との間に配置され複数の表示ボックス７５（表示素子）から構成される棒グラフが、液晶表示されている。また、図９は、図８の状態から開閉角度／昇降高さ選択キー７８を押した状態を示しており、スラット正回転キー７０及びスラット逆回転キー７２の代わりに上昇設定キー７４及び下降設定キー７６が表示されている。
【００３０】
ＯＰＥＮキー６４、ＳＴＯＰキー６６またはＣＬＯＳＥキー６８を押すことにより、その入力信号がマイクロコンピュータ部１４０へ入力されて、指令信号として制御ユニットＰ１へ送られてブラインドＮ１のスラット１２を上昇、停止、下降させる。また、スラット正回転キー７０またはスラット逆回転キー７２を押す毎に、表示ボックス７５が増減して、目標とするスラット１２の開閉角度が表示された表示ボックス７５の数で表現され、マイクロコンピュータ部１４０及び８０は、この開閉角度に一致するように、モータ８４を制御する。また、上昇設定キー７４及び下降設定キー７６を押す毎に、表示ボックス７５が増減して、目標とするスラット１２の昇降高さが表示された表示ボックス７５の数で表現され、マイクロコンピュータ部１４０及び８０は、この昇降高さに一致するように、モータ８４を制御する。マイクロコンピュータ部１４０は、この開閉角度／昇降高さ選択キー７８の選択により、キー７０、７２、７４または７６からの入力が、それぞれスラット開閉角度に関するものか、スラット昇降高さに関するものかを判断する手段と、表示ボックス７５が表示する対象をスラット開閉角度またはスラット昇降高さに切り換える手段とを有する。
【００３１】
これにより、スラット１２の開閉角度及びスラット１２の昇降高さの両方を、ブラインド自身を直接見ずに、段階的に表示される表示素子７５を確認しながら、キー７０、７２、７４または７６を押すことでいずれかの段階を選択して、簡単に所望のスラット１２の開閉角度またはスラット１２の昇降高さにすることができ、一列に配列された複数個の表示素子７５から直感的にスラット１２の開閉角度またはスラット１２の昇降高さを把握することができる。
【００３２】
開閉角度／昇降高さ選択キー７８の選択により表示される内容を切り換えることで、コントローラＬ１を大型化せずに、複数の情報を把握することができる。また、別の形態として、図８及び図９のコントローラＬ１の表示素子７５が所望のスラット１２の開閉角度及びスラット１２の昇降高さではなく、現在のスラット１２の開閉角度または現在のスラット１２の昇降高さを表示するようにすることもできる。
【００３３】
即ち、マイクロコンピュータ部１４０は、開閉角度／昇降高さ選択キー７８で開閉角度か昇降高さのどちらかが選択されているかを判断した後、開閉角度が選択されている場合、所定時間毎に、制御ユニットＰ１の角度検知部９６で検知されたスラット１２の角度信号を応答信号出力部１１２及び応答信号入力部１４２を介して取り込み、そのスラット角度信号を１５段階のスラット開閉角度に変換して、その段階に応じた数の表示ボックス７５を表示する。同様に、昇降高さが選択されている場合、所定時間毎に、制御ユニットＰ１の高さ検知部９２で検知されたスラット１２の昇降高さ信号を応答信号出力部１１２及び応答信号入力部１４２を介して取り込み、その昇降高さ信号を１５段階の昇降高さに変換して、その段階に応じた数の表示ボックス７５を表示する。
【００３４】
このようにして、コントローラＬ１でブラインドＮ１の現在の状況を正確に把握することができる。
【００３５】
【発明の効果】
以上説明したように、請求項１ないし請求項４記載の発明によれば、開閉角度／昇降高さ選択キーでブラインドのスラットの開閉角度や昇降高さに関する情報を適宜選択してコントローラで表示できるので、コントローラの大きさを大型にすることなく、ユーザーが必要な情報を直感的に把握することができる。
【図面の簡単な説明】
【図１】開閉体がブラインドである場合の電動開閉装置用コントローラの一例を示す正面図である。
【図２】図１のコントローラの、開閉体がブラインドである場合の電動開閉装置用コントローラを示す背面図である。
【図３】開閉体がブラインドである場合の電動開閉装置用コントローラを使用する電動開閉装置により構成されるシステムの一設置例である。
【図４】開閉体がブラインドである場合の、電動開閉装置用コントローラと、電動開閉装置の制御ユニット（制御部）の概略ブロック図である。
【図５】開閉体がロールスクリーンである場合の、電動開閉装置用コントローラを示す正面図である。
【図６】開閉体がロールスクリーンである場合の電動開閉装置用コントローラを使用する電動開閉装置により構成されるシステムの一設置例である。
【図７】開閉体がロールスクリーンである場合の、電動開閉装置用コントローラと、電動開閉装置の制御ユニット（制御部）の概略ブロック図である。
【図８】本発明の実施の形態にかかる電動開閉装置用コントローラを示す正面図である。
【図９】本発明の実施の形態にかかる電動開閉装置用コントローラを示す正面図である。
【符号の説明】
Ｋ（Ｋ１〜Ｋ９）  ブラインド装置（電動開閉装置）
Ｎ（Ｎ１〜Ｎ９）  ブラインド（開閉体）
Ｐ（Ｐ１〜Ｐ９）  制御ユニット（制御部）
Ｌ（Ｌ１〜Ｌ１０）  コントローラ
１２  スラット
６０  キー入力部
６４  ＯＰＥＮキー（上昇キー）
６６  ＳＴＯＰキー（停止キー）
６８  ＣＬＯＳＥキー（下降キー）
７５  表示素子（表示ボックス）
７８  開閉角度／昇降高さ選択キー
１４８  キー入力部
【図１】
0003560951.tif 000002
【図２】
0003560951.tif 000003
【図３】
0003560951.tif 000004
【図４】
0003560951.tif 000005
【図５】
0003560951.tif 000006
【図６】
0003560951.tif 000007
【図７】
0003560951.tif 000008
【図８】
0003560951.tif 000009
【図９】
0003560951.tif 000010